(57)【特許請求の範囲】
【請求項１】
フレネルレンズ部を有するフレネルレンズとこのフレネルレンズの前記フレネルレンズ部側に対向配置される拡散レンズシートとを備えた透過型スクリーンを、その外周側部分が固定枠内に嵌め込まれるようにして、前記固定枠に取り付けるための取付構造を備えた背面投射型ディスプレイ装置であって、
前記透過型スクリーンは、その外周側部分における全周部に対してテープが巻かれた状態となっており、
前記拡散レンズシートがその面方向へ伸びるのを拘束するための拘束手段を備え、
前記拘束手段は、前記透過型スクリーンの前記外周側部分をその厚み方向に押圧する押圧手段であって、
前記押圧手段は、前記透過型スクリーンの前記外周側部分における全周部にわたって少なくとも片面側に、前記固定枠との間に介在させられたスペーサであることを特徴とする背面投射型ディスプレイ装置。
【請求項２】
請求項１に記載の背面投射型ディスプレイ装置であって、
前記スペーサは、圧縮状態の弾性体で構成されていることを特徴とする背面投射型ディスプレイ装置。
【請求項３】
請求項１に記載の背面投射型ディスプレイ装置であって、
前記スペーサは、形状記憶樹脂で構成されていることを特徴とする背面投射型ディスプレイ装置。
【発明の詳細な説明】
【技術分野】
【０００１】
本発明は、例えばリアプロジェクションテレビなどの背面投射型ディスプレイ装置における筐体の固定枠に対し、透過型スクリーンを取り付けるための取付構造に関するものである。
【背景技術】
【０００２】
一般に、透過型スクリーンを備えた背面投射型ディスプレイ装置として知られるリアプロジェクションテレビは、光源としてのプロジェクタから投射される映像光を、反射鏡によって反射させて略長方形平板状をなす透過型スクリーンの背面に入射させることにより、この透過型スクリーンの前面側に位置する観察者が、透過型スクリーンを透過して出射する映像光を観察することができるように構成されたものである。
【０００３】
透過型スクリーンは、入射光の方向を整えて出射光とするフレネルレンズ部を有するフレネルレンズと、このフレネルレンズからの出射光をスクリーンの左右方向（水平方向）に拡散させる拡散レンズ部を有するレンチキュラーレンズシート（拡散レンズシート）と、このレンチキュラーレンズシートからの出射光をスクリーンの上下方向（垂直方向）に拡散させる拡散層とを備えている。
このような透過型スクリーンは、リアプロジェクションテレビにおける筐体の固定枠に対し、その外周側部分が前記固定枠内に嵌め込まれるようにして取り付けられている。
【０００４】
また、透過型スクリーンに用いられるフレネルレンズのレンズ本体は、例えばメチルメタアクリル／スチレン樹脂（ＭＳ樹脂）からなるレンズ基板におけるレンチキュラーレンズシート側を向く片面に、例えば紫外線硬化樹脂（ＵＶ樹脂）からなるフレネルレンズ部がレンズ本体の出射面側に位置するように設けられて構成されている（例えば特許文献１参照）。
さらに、透過型スクリーンに用いられるレンチキュラーレンズシートのシート本体は、例えばポリエチレンテレフタレート樹脂（ＰＥＴ樹脂）からなるシート基板におけるフレネルレンズ側を向く片面に、例えば紫外線硬化樹脂（ＵＶ樹脂）からなる複数のシリンドリカルレンズ（単位レンズ）が配列されてなる拡散レンズ部がシート本体の入射面側に位置するように設けられて構成されている。
【特許文献１】特開２００２−１９６４２２号公報
【発明の開示】
【発明が解決しようとする課題】
【０００５】
ところで、フレネルレンズのフレネルレンズ部は、同心円状に配列された凹凸からなる鋸歯状をなしており、鋭利な頂点部を有するものとなっている。そして、このようなフレネルレンズのフレネルレンズ部側には、レンチキュラーレンズシートが対向配置されている。
そのため、透過型スクリーンを固定枠に取り付けたときに、上記フレネルレンズ部に対して、レンチキュラーレンズシートから大きな荷重が加わっていると、フレネルレンズ部における鋭利な頂点部がつぶれる、いわゆる歯つぶれが生じてしまうという問題がある。このフレネルレンズ部の歯つぶれが生じると、リアプロジェクションテレビのスクリーン上で水濡れ状態として観察されるステインの発生を招くこととなり、映像表示上での大きな不具合となる。  
【０００６】
これに対し、特許文献１に記載されているように、フレネルレンズ部を構成している材料である例えばＵＶ樹脂を硬くすることにより、上記歯つぶれを抑制することが可能であるが、このようにすると、ＵＶ樹脂の復元性が低下してしまうので、フレネルレンズ部に傷が発生しやすくなるのに加えて、フレネルレンズ部の成形性が低下する。
そこで、従来では、透過型スクリーンの外周側部分とこの外周側部分が嵌め込まれる固定枠との間に、透過型スクリーンの厚み方向で遊びを持たせた状態で、この透過型スクリーンを固定枠に取り付けるようにしていた。これは、透過型スクリーンを固定枠に取り付けた際に、その外周側部分が固定枠内で強固に締め付けられていると、レンチキュラーレンズシートからフレネルレンズ部に加わる加重が大きくなり、このフレネルレンズ部の歯つぶれが生じやすくなるであろうという当然の考え方に基づいている。
【０００７】
ここで、上記歯つぶれの問題は、常温状態ではさほど問題にならないのであるが、例えば４０°Ｃ以上となる高温状態でとくに顕著になってしまう。つまり、高温状態では、例えばＵＶ樹脂からなるフレネルレンズ部が軟らかくなってしまうのに加えて、例えばＰＥＴ樹脂からなるシート基板を有するレンチキュラーレンズシートが、例えばＭＳ樹脂からなるレンズ基板を有するフレネルレンズよりも大きな割合で伸びることにより、このレンチキュラーレンズシートからフレネルレンズ部に対してより大きな荷重が加わってしまうためである。
したがって、従来のように、遊びを持たせた状態で透過型スクリーンを固定枠に取り付けていたとしても、高温状態になると、上記フレネルレンズ部の歯つぶれに起因したステインの発生を抑制することができないのが現状であった。
【０００８】
本発明は、上記課題に鑑みてなされたもので、フレネルレンズ部の歯つぶれを生じにくくして、ステインの発生を効果的に抑制することができる透過型スクリーンの取付構造を備えた背面投射型ディスプレイ装置を提供することを目的としている。
【課題を解決するための手段】
【０００９】
上記の課題を解決して、このような目的を達成するために、本発明による背面投射型ディスプレイ装置は、フレネルレンズ部を有するフレネルレンズとこのフレネルレンズの前記フレネルレンズ部側に対向配置される拡散レンズシートとを備えた透過型スクリーンを、その外周側部分が固定枠内に嵌め込まれるようにして、前記固定枠に取り付けるための取付構造を備えた背面投射型ディスプレイ装置であって、前記透過型スクリーンは、その外周側部分における全周部に対してテープが巻かれた状態となっており、前記拡散レンズシートがその面方向へ伸びるのを拘束するための拘束手段を備え、前記拘束手段は、前記透過型スクリーンの前記外周側部分をその厚み方向に押圧する押圧手段であって、前記押圧手段は、前記透過型スクリーンの前記外周側部分における全周部にわたって少なくとも片面側に、前記固定枠との間に介在させられたスペーサであることを特徴としている。
【発明の効果】
【００１０】
本発明では、上記拘束手段を備えていることにより、例えば４０°Ｃ以上の高温状態になり、拡散レンズシートがフレネルレンズよりも大きな割合で伸びようとしたときでも、拡散レンズシートにおける面方向への伸びが拘束される。すると、拡散レンズシートは、フレネルレンズとは反対側へ逃げるように移動することになり、この拡散レンズシートからフレネルレンズ部に加わる荷重を低減させることができる。つまり、本発明は、とくに歯つぶれが生じやすい条件である高温状態において、拡散レンズシートからフレネルレンズ部に加わる荷重を低減し、ステインの発生を効果的に抑制することを可能にしているのである。
なお、フレネルレンズと拡散レンズシートとを備えた透過型スクリーンでは、フレネルレンズと拡散レンズシートとの間にホコリが侵入するのを防止したり、取扱い性を向上するために、フレネルレンズの外周側部分と拡散レンズシートの外周側部分とを包み込むようにしてこれらをテープ止めすることがあるが、このテープ止めでは、拡散レンズシートの面方向への伸びを拘束することができず、本発明における拘束手段とはなり得ない。
【００１１】
また、本発明において、前記スペーサは、圧縮状態の弾性体で構成されていてもよいし、形状記憶樹脂で構成されていてもよい。
【発明を実施するための最良の形態】
【００１２】
以下、本発明の第１実施形態を添付した図１〜図４を参照しながら説明する。
本第１実施形態による背面投射型ディスプレイ装置としてのリアプロジェクションテレビ１０は、図１に示すように、筐体１１と、前面側（図１中の右側）を筐体１１の外部へ露出させるとともに背面側（図１中の左側）を筐体１１の内部へ露出させた略長方形平板状をなす透過型スクリーン２０と、筐体１１内に配置され、透過型スクリーン２０の背面に対して映像光を投射する光源としてのプロジェクタ１２と、同じく筐体１１内に配置され、プロジェクタ１２から投射される映像光の光路を偏向させる例えば２枚の反射鏡１３，１４とを備えている。
【００１３】
透過型スクリーン２０は、図２に示すように、入射光の方向を整えて出射光とするフレネルレンズ部３３を有するフレネルレンズ３０と、このフレネルレンズ３０からの出射光をスクリーンの左右方向（水平方向）に拡散させる拡散レンズ部４４を有するレンチキュラーレンズシート（拡散レンズシート）４０と、このレンチキュラーレンズシート４０からの出射光をスクリーンの上下方向（垂直方向）に拡散させる拡散層５０とを備えている。
これらフレネルレンズ３０、レンチキュラーレンズシート４０、拡散層５０は、透過型スクリーン２０の背面側（図２中の左側）から前面側（図２中の右側）にかけて順次配置されているとともに、互いに略平行となるように配置されている。
【００１４】
フレネルレンズ３０のレンズ本体３１は、図２に示すように、略長方形平板状をなすレンズ基板３２におけるレンチキュラーレンズシート４０側を向く片面（透過型スクリーン２０の前面側を向く片面）に、フレネルレンズ部３３が設けられることによって構成されている。このフレネルレンズ部３３は、同心円状に配列された凹凸からなる鋸歯状をなして、鋭利な頂点部を有するものであり、レンズ本体３１の出射面側に位置させられている。
なお、本第１実施形態において、レンズ部３３の凹凸がなす同心円の中心を通ってレンズ本体３１の法線に沿う方向、つまり、フレネルレンズ３０の光軸Ｐ１は、図２に示すように、レンズ本体３１の中心Ｐ２を通るレンズ本体３１の短辺に沿う方向においてレンズ本体３１の長辺よりも外側でレンズ本体３１から外れた位置を通るように配置されている。
【００１５】
上記のような構成とされたフレネルレンズ３０は、その光軸Ｐ１を例えば下方側に位置させるようにして透過型スクリーン２０に備えられている。
そして、プロジェクタ１２から投射される映像光を透過型スクリーン２０の背面に入射させる、つまり、プロジェクタ１２から投射される映像光を透過型スクリーン２０の背面側に位置するフレネルレンズ３０に入射させると、このフレネルレンズ３０は、入射した映像光の方向を整えて略平行光としてからレンチキュラーレンズシート４０に向けて出射する。
【００１６】
ここで、プロジェクタ１２から投射される映像光の光路を反射鏡１３，１４によって偏向させていない状態を考えると、プロジェクタ１２は、フレネルレンズ３０の光軸Ｐ１上に配置されるために、図１中の２点鎖線で示すように透過型スクリーン２０の背面に対向する領域から例えば下方側に外れた領域に配置された状態となっている。
そして、このような配置とされるプロジェクタ１２から投射される映像光の光路を、透過型スクリーン２０の背面に対向配置されるとともに透過型スクリーン２０に対して略平行となるように配置される反射鏡１４とさらにもう一つの反射鏡１３とによって偏向させることにより、プロジェクタ１２が、筐体１１内において透過型スクリーン２０と反射鏡１４との間の領域から例えば下方側に外れた領域に配置されている。
【００１７】
レンチキュラーレンズシート４０のシート本体４１は、図２に示すように、略長方形平板状をなすシート基板４２におけるフレネルレンズ３０側を向く片面（透過型スクリーン２０の背面側を向く片面）に、拡散レンズ部４４が設けられ、かつ、シート基板４２における拡散層５０側を向く片面（透過型スクリーン２０の前面側を向く片面）に、遮光部４５が設けられることによって構成されている。
【００１８】
拡散レンズ部４４は、略半円柱状をなす複数のシリンドリカルレンズ（単位レンズ）４３が互いに略平行となるように配列されてなり、シート本体４１の入射面側に位置させられている。
この拡散レンズ部４４を構成する複数のシリンドリカルレンズ４３は、その長さ方向をスクリーンの上下方向（垂直方向）に略一致させており、フレネルレンズ３０から出射される映像光がレンチキュラーレンズシート４０に入射すると、このレンチキュラーレンズシート４０は、入射した映像光をスクリーンの左右方向（水平方向）で集光・拡散してストライプ状の光としてから拡散層５０に向けて出射する。なお、図２においては、説明上分かりやすくするため、シリンドリカルレンズ４３の長さ方向をスクリーンの上下方向（垂直方向）ではなく左右方向（水平方向）に略一致させて示してある。
【００１９】
遮光部（ＢＳ＝ブラック・ストライプ）４５は、複数のシリンドリカルレンズ４３によるストライプ状の非集光部を遮光するように、シート本体４１の出射面側に位置させられている。
これに対し、複数のシリンドリカルレンズ４３によるストライプ状の集光部に対応する領域は、シート本体４１の出射面側に位置させられた通過部４６とされており、シリンドリカルレンズ４３によって集光した映像光が、この通過部４６を通過するようにして拡散することになる。  
【００２０】
拡散層５０は、略長方形平板状をなす基材中に拡散材が分散配置されることによって構成されており、レンチキュラーレンズシート４０から出射される映像光が拡散層５０に入射すると、この拡散層５０は、入射した映像光をスクリーンの上下方向（垂直方向）へ拡散してから透過型スクリーン２０の前面側に向けて出射する。
なお、この拡散層５０は、レンチキュラーレンズシート４０のシート本体４１の出射面に対して接合されており、これらレンチキュラーレンズシート４０と拡散層５０とが一体となっている。
【００２１】
このような透過型スクリーン２０では、図３に示すように、フレネルレンズ３０とレンチキュラーレンズシート４０及び拡散層５０とを重ね合わせた状態で、フレネルレンズ３０の外周側部分とレンチキュラーレンズシート４０及び拡散層５０の外周側部分とを包み込むようにして、これらをテープ２１でテープ止めしている。
そのため、透過型スクリーン２０は、その外周側部分における例えば全周部に対してテープ２１が巻かれた状態となっており、フレネルレンズ３０とレンチキュラーレンズシート４０及び拡散層５０とを一体に取り扱うことができる。なお、透過型スクリーン２０の外周側部分の一部のみに対してテープ２１が巻かれた状態となるようにしてもよい。
【００２２】
そして、透過型スクリーン２０は、図４（ａ），（ｂ）に示すように、リアプロジェクションテレビ１０の筐体１１における固定枠１５に取り付けられることにより、その前面側（図４中の右側）を筐体１１の外部へ露出させるとともに背面側（図４中の左側）を筐体１１の内部へ露出させるようにして、筐体１１に設けられている。
【００２３】
本第１実施形態において、透過型スクリーン２０を取り付けるための固定枠１５は、筐体１１の前面側部分に形成された略長方形状の開口部（透過型スクリーン２０を設置するための開口部）を囲む略長方形状の周縁部分１２と、この周縁部分１２の各辺部における背面側に対向配置され、筐体１１の内部側から例えばネジ止めで筐体１１に取り付けられる治具１３とによって構成されている。なお、周縁部分１２の全周部に対して治具１３が対向配置されるようにしてもよいし、周縁部分１２の一部のみに対して治具１３が対向配置されるようにしてもよい。
【００２４】
この固定枠１５に対し、透過型スクリーン２０は、その外周側部分、つまりテープ２１が巻かれた状態となっている外周側部分が固定枠１５内に嵌め込まれるようにして取り付けられている。
さらに、固定枠１５に透過型スクリーン２０が取り付けられたときには、図４（ｂ）に示すように、透過型スクリーン２０の外周側部分におけるフレネルレンズ３０が位置する片面と治具１３との間に、例えばスポンジ、ゴムなどの弾性体からなるスペーサ６０が、透過型スクリーン２０の外周側部分における例えば全周部に亘って存在するように介在させられている。なお、透過型スクリーン２０の外周側部分における一部のみに亘って存在するように、スペーサ６０が介在させられていてもよい。
【００２５】
ここで、図４（ｂ）に示すように、透過型スクリーン２０を筐体１１の内部側から固定枠１５に対する所定位置にセットした後に、治具１３を取り付けたときには、弾性体からなるスペーサ６０が、透過型スクリーン２０におけるフレネルレンズ３０が位置する片面と治具１３との間で圧縮された状態となっている。
したがって、透過型スクリーン２０を固定枠１５に取り付けたときに圧縮状態となる弾性体のスペーサ６０が、透過型スクリーン２０の外周側部分をその厚み方向に強固に押圧することとなり、この透過型スクリーン２０の外周側部分が固定枠１５内で厚み方向に強固に締め付けられているのである。つまり、圧縮状態のスペーサ６０が、透過型スクリーン２０の外周側部分をその厚み方向に押圧する押圧手段となり、この押圧手段が、透過型スクリーン２０におけるレンチキュラーレンズシート４０についての面方向へ伸びを拘束するための拘束手段となっている。
【００２６】
以上説明したような本第１実施形態においても、従来と同様に、例えば４０°Ｃ以上の高温状態になったときには、レンズ基板３２を構成する材料とシート基板４２を構成する材料との違いにより、レンチキュラーレンズシート４０がフレネルレンズ３０よりも大きな割合で伸びようとする。
しかしながら、上述のように、透過型スクリーン２０の外周側部分が、拘束手段及び押圧手段としての圧縮状態のスペーサ６０によって固定枠１５内で強固に締め付けられていることから、レンチキュラーレンズシート４０における面方向への伸びは確実に拘束される。
【００２７】
すると、面方向に伸びようとしているのにも関わらず、その面方向への伸びが拘束されたレンチキュラーレンズシート４０は、フレネルレンズ３０とは反対側となる前面側へ逃げるように移動し、このレンチキュラーレンズシート４０から鋭利な頂点部を有するフレネルレンズ部３３に加わる荷重を低減することができる。
すなわち、本第１実施形態では、従来とは全く異なる考え方に基づいて、遊びを持たせずに外周側部分を強固に締め付ける状態で透過型スクリーン２０を固定枠１５に取り付けたことにより、とくに歯つぶれが生じやすくなってしまう高温状態において、レンチキュラーレンズシート４０からフレネルレンズ部３３に加わる荷重を低減し、ステインの発生を効果的に抑制することが可能となっているのである。
【００２８】
次に、本発明の第２実施形態を添付した図５を参照しながら説明するが、上述した第１実施形態と同様の部分には同一の符号を用いてその説明を省略する。
図５（ａ），（ｂ）に示すように、本第２実施形態において、透過型スクリーン２０を取り付けるための固定枠１５は、筐体１１の前面側部分に形成された略長方形状の開口部（透過型スクリーン２０を設置するための開口部）を囲む略長方形状の周縁部分１２と、この周縁部分１２の各辺部における前面側に対向配置され、筐体１１の外部側から例えばネジ止めで筐体１１に取り付けられる治具１３とによって構成されている。なお、周縁部分１２の全周部に対して治具１３が対向配置されるようにしてもよいし、周縁部分１２の一部のみに対して治具１３が対向配置されるようにしてもよい。
【００２９】
この固定枠１５に対し、透過型スクリーン２０は、その外周側部分、つまりテープ２１が巻かれた状態となっている外周側部分が固定枠１５内に嵌め込まれるようにして取り付けられている。
さらに、固定枠１５に透過型スクリーン２０が取り付けられたときには、図５（ｂ）に示すように、透過型スクリーン２０の外周側部分におけるフレネルレンズ３０が位置する片面と周縁部分１２との間に、例えばスポンジ、ゴムなどの弾性体からなるスペーサ６０が、透過型スクリーン２０の外周側部分における例えば全周部に亘って存在するように介在させられている。なお、透過型スクリーン２０の外周側部分における一部のみに亘って存在するように、スペーサ６０が介在させられていてもよい。
【００３０】
ここで、図５（ｂ）に示すように、透過型スクリーン２０を筐体１１の外部側から固定枠１５に対する所定位置にセットした後に、治具１３を取り付けたときには、弾性体からなるスペーサ６０が、透過型スクリーン２０におけるフレネルレンズ３０が位置する片面と周縁部分１２との間で圧縮された状態となっている。
したがって、透過型スクリーン２０を固定枠１５に取り付けたときに圧縮状態となる弾性体のスペーサ６０が、透過型スクリーン２０の外周側部分をその厚み方向に強固に押圧することとなり、この透過型スクリーン２０の外周側部分が固定枠１５内で厚み方向に強固に締め付けられているのである。つまり、圧縮状態のスペーサ６０が、透過型スクリーン２０の外周側部分をその厚み方向に押圧する押圧手段となり、この押圧手段が、透過型スクリーン２０におけるレンチキュラーレンズシート４０についての面方向への伸びを拘束するための拘束手段となっている。
このような第２実施形態においても、上述した第１実施形態と同様の効果を得ることができる。
【００３１】
なお、以上説明した各実施形態においては、透過型スクリーン２０の外周側部分の端部と固定枠１５との間には、図４（ｂ）、図５（ｂ）に示すように隙間（各図中の透過型スクリーン２０、テープ２１の上部にある空間部分）があっても良いし、透過型スクリーン２０の外周側部分の端部を、テープ２１を介して（テープ２１が巻かれていない部分ではテープを介さずに）固定枠１５に接触させることもできる。このように両部材を接触させることで、レンチキュラーレンズシート４０及び拡散層５０が面方向へ伸びるのをさらに拘束する。
【００３２】
また、各実施形態においては、上記拘束手段及び押圧手段として、圧縮状態の弾性体であるスペーサ６０を用いているが、これに限定されることはなく、形状記憶樹脂であるスペーサ６０を用いてもよい。
つまり、例えば４０°Ｃ以上の高温状態となったときに体積膨張を生じるように設計された形状記憶樹脂をスペーサ６０として用いることにより、とくに歯つぶれが生じやすくなってしまう高温状態において、形状記憶樹脂からなるスペーサ６０が、透過型スクリーン２０の外周側部分をその厚み方向に強固に押圧し、この透過型スクリーン２０の外周側部分が固定枠１５内で厚み方向に強固に締め付けられるのである。なお、形状記憶樹脂としては、ポリエステル、ポリウレタン、スチレンブタジエン、ポリノルボルネン、トランスポリイソプレン等公知の材料を使用できる。
このような場合には、上述した各実施形態と同様の効果を得ることができるのに加え、透過型スクリーン２０を固定枠１５に取り付ける際に、スペーサ６０を必ずしも圧縮する必要がないことから、透過型スクリーン２０の固定枠１５への取り付け作業を容易に行うことができる。
【００３３】
また、各実施形態においては、固定枠１５に透過型スクリーン２０が取り付けられたときに、透過型スクリーン２０の外周側部分におけるフレネルレンズ３０が位置する片面側（第１実施形態では、透過型スクリーン２０の外周側部分におけるフレネルレンズ３０が位置する片面と治具１３との間、第２実施形態では、透過型スクリーン２０の外周側部分におけるフレネルレンズ３０が位置する片面と周縁部分１２との間）に、スペーサ６０が介在させられるようにしたが、これに限定されることはない。
【００３４】
例えば、固定枠１５に透過型スクリーン２０が取り付けられたときに、透過型スクリーン２０の外周側部分におけるレンチキュラーレンズシート４０（及び拡散層５０）が位置する片面側（第１実施形態では、透過型スクリーン２０の外周側部分におけるレンチキュラーレンズシート４０（及び拡散層５０）が位置する片面と周縁部分１２との間、第２実施形態では、透過型スクリーン２０の外周側部分におけるレンチキュラーレンズシート４０（及び拡散層５０）が位置する片面と治具１３との間）に、スペーサ６０が介在させられるようにしてもよい。
さらに、例えば、固定枠１５に透過型スクリーン２０が取り付けられたときに、透過型スクリーン２０の外周側部分におけるフレネルレンズ３０が位置する片面側及びレンチキュラーレンズシート４０（及び拡散層５０）が位置する片面側の両方に、スペーサ６０が介在させられるようにしてもよい。
【００３５】
また、各実施形態においては、透過型スクリーン２０が、フレネルレンズ３０からの出射光をスクリーンの左右方向に拡散させる拡散レンズシートとして、複数のシリンドリカルレンズ（単位レンズ）４３が略平行に配列されてなる拡散レンズ部４４を有するレンチキュラーレンズシート４０を備え、フレネルレンズ３０からの出射光をスクリーンの上下方向に拡散させる拡散手段として、拡散層５０を備えているようにしたが、上記のような拡散レンズシートだけに限定されることはない。
【００３６】
例えば、透過型スクリーン２０が、フレネルレンズ３０からの出射光をスクリーンの左右方向（水平方向）及び上下方向（垂直方向）に拡散させる拡散レンズシートとして、複数の単位レンズがマトリックス状に配列されてなる拡散レンズ部を有するマイクロレンズシートを備えているようにしてもよい。また、例えば、透過型スクリーン２０が、フレネルレンズ３０からの出射光をスクリーンの左右方向（水平方向）及び上下方向（垂直方向）に拡散させる拡散レンズシートとして、複数のシリンドリカルレンズ（単位レンズ）が略平行に配列された第１のレンズアレイと複数のシリンドリカルレンズ（単位レンズ）が略平行に配列された第２のレンズアレイとがそれらのシリンドリカルレンズの長さ方向を互いに交差させるように同一平面上に配置されてなる拡散レンズ部を有するクロスレンチレンズシートを備えているようにしてもよい。なお、これらの場合でも、必要に応じて透過型スクリーン２０が拡散層５０を備えていてもよい。
【００３７】
さらに、例えば、透過型スクリーン２０が、フレネルレンズ３０からの出射光をスクリーンの左右方向（水平方向）に拡散させる拡散レンズシートとして、映像光を反射して拡散させる複数の単位レンズが配列されてなる拡散レンズ部を有するプリズムレンズシートを備え、フレネルレンズ３０からの出射光をスクリーンの上下方向（垂直方向）に拡散させる拡散手段として、拡散層５０を備えているようにしてもよい。なお、プリズムレンズシートにおける複数の単位レンズの形状・配列によっては、必ずしも拡散層５０を必要としない。
【図面の簡単な説明】
【００３８】
【図１】本発明の第１実施形態によるリアプロジェクションテレビの一例を示す概略断面図である。
【図２】本発明の第１実施形態による透過型スクリーンの一例を示す概略断面図である。
【図３】（ａ）は本発明の第１実施形態による透過型スクリーンの一例を示す概略平面図、（ｂ）は（ａ）におけるＸ−Ｘ線断面図である。
【図４】本発明の第１実施形態による透過型スクリーンの取付構造の一例を示す概略断面図である。
【図５】本発明の第２実施形態による透過型スクリーンの取付構造の一例を示す概略断面図である。
【符号の説明】
【００３９】
１０  リアプロジェクションテレビ（背面投射型ディスプレイ装置）
１２  プロジェクタ（光源）
２０  透過型スクリーン
３０  フレネルレンズ
３１  レンズ本体
３２  レンズ基板
３３  フレネルレンズ部
４０  レンチキュラーレンズシート（拡散レンズシート）
４１  シート本体
４２  シート基板
４３  シリンドリカルレンズ（単位レンズ）
４４  拡散レンズ部
４５  遮光部
５０  拡散層
【図１】
0004701628.tif 000002
【図２】
0004701628.tif 000003
【図３】
0004701628.tif 000004
【図４】
0004701628.tif 000005
【図５】
0004701628.tif 000006